(57)【要約】【課題】ディスプレイ上に映出される映像を視聴する視聴者に対して、適切な視聴距離からの視聴を促すことができるとともに、侵入者の侵入を監視することができる表示装置を提供する。【解決手段】検出手段は、超音波信号の反射信号に基づいて表示部７の前方に存在する障害物との距離を検出し、初期状態記憶手段は、障害物との初期状態の距離に関する初期状態距離情報を記憶し、判別手段は、障害物との距離に関する距離情報と初期状態記憶手段により記憶された初期状態距離情報との比較に基づいて侵入者の有無を判別し、侵入警告手段は侵入者が有ると判別された場合に警告を行い、視聴距離警告手段は侵入者が有ると判別され且つ侵入者と表示部７との距離が所定の距離以下である場合に警告を行い、設定手段は、侵入警告手段を実行する侵入監視モードと視聴距離警告手段を実行する視聴距離警告モードとの何れかを設定する。【選択図】図１
2008287564.tif 000002
【特許請求の範囲】
【請求項１】
表示部の前方に向けて、測距信号を送出する送出手段と、
前記送出手段により送出された前記測距信号の反射信号を受信する受信手段と、
前記受信手段により受信された前記反射信号に基づいて、前記表示部と当該表示部の前方に存在する障害物との距離を検出する検出手段と、
前記検出手段により検出された前記障害物との初期状態の距離に関する初期状態距離情報を記憶する初期状態記憶手段と、
前記検出手段により検出された障害物との距離に関する距離情報と、前記初期状態記憶手段により記憶された前記初期状態距離情報との比較に基づいて、侵入者の有無を判別する判別手段と、
前記判別手段により侵入者が有ると判別された場合に、所定の警告を行う侵入警告手段と、
前記判別手段により侵入者が有ると判別され、且つ、前記検出手段により検出された障害物である当該侵入者と前記表示部との距離が、所定の距離以下である場合に、所定の警告を行う視聴距離警告手段と、
前記侵入警告手段を実行する侵入監視モードと、前記視聴距離警告手段を実行する視聴距離警告モードと、の何れかを設定する設定手段と、
を備えることを特徴とする表示装置。
【請求項２】
前記設定手段は、電源オフ時に前記侵入監視モードを設定するとともに、電源オン時に前記視聴距離警告モードを設定することを特徴とする請求項１に記載の表示装置。
【請求項３】
前記侵入監視モードにおいて、前記判別手段により侵入者が有ると判別された場合に、ネットワークを介して、所定の装置に報知を行う報知手段を備えることを特徴とする請求項１又は２に記載の表示装置。
【請求項４】
前記視聴距離警告モードにおいて、前記検出手段により検出された侵入者と前記表示部との距離が所定の第２距離以下である場合、又は、前記検出手段により検出された侵入者と前記表示部との距離が所定時間連続して所定の第３距離以下である場合に、視聴を制限する制御を行う視聴制限手段を備えることを特徴とする請求項１〜３の何れか一項に記載の表示装置。
【請求項５】
表示部の前方に向けて、超音波信号を送出する送出手段と、
前記送出手段により送出された前記超音波信号の反射信号を受信する受信手段と、
前記受信手段により受信された前記反射信号に基づいて、前記表示部と当該表示部の前方に存在する障害物との距離を検出する検出手段と、
前記検出手段により検出された前記障害物との初期状態の距離に関する初期状態距離情報を記憶する初期状態記憶手段と、
前記検出手段により検出された障害物との距離に関する距離情報と、前記初期状態記憶手段により記憶された前記初期状態距離情報との比較に基づいて、侵入者の有無を判別する判別手段と、
前記判別手段により侵入者が有ると判別された場合に、所定の警告を行う侵入警告手段と、
前記判別手段により侵入者が有ると判別され、且つ、前記検出手段により検出された障害物である当該侵入者と前記表示部との距離が、所定の第１距離以下である場合に、所定の警告を行う視聴距離警告手段と、
前記侵入警告手段を実行する侵入監視モードを電源オフ時に設定するとともに、前記視聴距離警告手段を実行する視聴距離警告モードを電源オン時に設定する設定手段と、
前記侵入監視モードにおいて、前記判別手段により侵入者が有ると判別された場合に、ネットワークを介して、所定の装置に報知を行う報知手段と、
前記視聴距離警告モードにおいて、前記検出手段により検出された侵入者と前記表示部との距離が所定の第２距離以下である場合、又は、前記検出手段により検出された侵入者と前記表示部との距離が所定時間連続して所定の第３距離以下である場合に、視聴を制限する制御を行う視聴制限手段と、
を備えることを特徴とする表示装置。
【発明の詳細な説明】
【技術分野】
【０００１】
本発明は、表示装置に関する。
【背景技術】
【０００２】
従来、ディスプレイ上に映出される映像を視聴する視聴者に対して、適切な視聴距離からの視聴を促すシステムが知られている。
【０００３】
例えば、特許文献１には、表示装置の前方に向けて超音波信号を送出するとともに、当該超音波信号に基づく反射超音波信号を受信して、表示装置とそれを見る人との距離を測定し、測定した距離が所定の値以下である場合に、警告ランプや警告ブザーにより、その距離に応じた警告を発する警告装置が提案されている。
また、例えば、特許文献２には、特許文献１と同様に、発射した信号の反射信号に基づいてテレビジョン受像機と視聴者との距離を検知するとともに、表示面と視聴者との距離が設定距離の範囲内にある場合には、音声出力の遮断・音声出力の増大・画面の輝度もしくはコントラストの変化・水平／垂直同期を乱す制御・色信号の遮断・音声出力・文字表示等により、視聴者に警告を与えるテレビジョン受像機が提案されている。
【特許文献１】特開昭６０−１７３９８１号公報
【特許文献２】特開昭６１−２６４９７７号公報
【発明の開示】
【発明が解決しようとする課題】
【０００４】
しかしながら、これまで、上述の測距手段は、視聴者との距離を測定する目的のためだけに利用されて他の目的のために使用されることがなく、測距手段をさらに有効に活用して、その有用性を高めることができる装置は開発されてこなかった。
【０００５】
本発明の課題は、ディスプレイ上に映出される映像を視聴する視聴者に対して、適切な視聴距離からの視聴を促すことができるとともに、侵入者の侵入を監視することができる表示装置を提供することである。
【課題を解決するための手段】
【０００６】
上記課題を解決するため、請求項１に記載の発明は、表示装置において、表示部の前方に向けて、測距信号を送出する送出手段と、
前記送出手段により送出された前記測距信号の反射信号を受信する受信手段と、
前記受信手段により受信された前記反射信号に基づいて、前記表示部と当該表示部の前方に存在する障害物との距離を検出する検出手段と、
前記検出手段により検出された前記障害物との初期状態の距離に関する初期状態距離情報を記憶する初期状態記憶手段と、
前記検出手段により検出された障害物との距離に関する距離情報と、前記初期状態記憶手段により記憶された前記初期状態距離情報との比較に基づいて、侵入者の有無を判別する判別手段と、
前記判別手段により侵入者が有ると判別された場合に、所定の警告を行う侵入警告手段と、
前記判別手段により侵入者が有ると判別され、且つ、前記検出手段により検出された障害物である当該侵入者と前記表示部との距離が、所定の距離以下である場合に、所定の警告を行う視聴距離警告手段と、
前記侵入警告手段を実行する侵入監視モードと、前記視聴距離警告手段を実行する視聴距離警告モードと、の何れかを設定する設定手段と、
を備えることを特徴とする。
【０００７】
請求項２に記載の発明は、請求項１に記載の表示装置において、前記設定手段は、電源オフ時に前記侵入監視モードを設定するとともに、電源オン時に前記視聴距離警告モードを設定することを特徴とする。
【０００８】
請求項３に記載の発明は、請求項１又は２に記載の表示装置において、前記侵入監視モードにおいて、前記判別手段により侵入者が有ると判別された場合に、ネットワークを介して、所定の装置に報知を行う報知手段を備えることを特徴とする。
【０００９】
請求項４に記載の発明は、請求項１〜３の何れか一項に記載の表示装置において、前記視聴距離警告モードにおいて、前記検出手段により検出された侵入者と前記表示部との距離が所定の第２距離以下である場合、又は、前記検出手段により検出された侵入者と前記表示部との距離が所定時間連続して所定の第３距離以下である場合に、視聴を制限する制御を行う視聴制限手段を備えることを特徴とする。
【００１０】
請求項５に記載の発明は、表示部の前方に向けて、超音波信号を送出する送出手段と、
前記送出手段により送出された前記超音波信号の反射信号を受信する受信手段と、
前記受信手段により受信された前記反射信号に基づいて、前記表示部と当該表示部の前方に存在する障害物との距離を検出する検出手段と、
前記検出手段により検出された前記障害物との初期状態の距離に関する初期状態距離情報を記憶する初期状態記憶手段と、
前記検出手段により検出された障害物との距離に関する距離情報と、前記初期状態記憶手段により記憶された前記初期状態距離情報との比較に基づいて、侵入者の有無を判別する判別手段と、
前記判別手段により侵入者が有ると判別された場合に、所定の警告を行う侵入警告手段と、
前記判別手段により侵入者が有ると判別され、且つ、前記検出手段により検出された障害物である当該侵入者と前記表示部との距離が、所定の第１距離以下である場合に、所定の警告を行う視聴距離警告手段と、
前記侵入警告手段を実行する侵入監視モードを電源オフ時に設定するとともに、前記視聴距離警告手段を実行する視聴距離警告モードを電源オン時に設定する設定手段と、
前記侵入監視モードにおいて、前記判別手段により侵入者が有ると判別された場合に、ネットワークを介して、所定の装置に報知を行う報知手段と、
前記視聴距離警告モードにおいて、前記検出手段により検出された侵入者と前記表示部との距離が所定の第２距離以下である場合、又は、前記検出手段により検出された侵入者と前記表示部との距離が所定時間連続して所定の第３距離以下である場合に、視聴を制限する制御を行う視聴制限手段と、
を備えることを特徴とする。
【発明の効果】
【００１１】
本発明によれば、表示装置において、送出手段により、表示部の前方に向けて、測距信号が送出され、受信手段により、送出手段により送出された測距信号の反射信号が受信され、検出手段により、受信手段により受信された反射信号に基づいて、表示部と表示部の前方に存在する障害物との距離が検出され、初期状態記憶手段により、検出手段により検出された障害物との初期状態の距離に関する初期状態距離情報が記憶され、判別手段により、検出手段により検出された障害物との距離に関する距離情報と、初期状態記憶手段により記憶された初期状態距離情報との比較に基づいて、侵入者の有無が判別され、侵入警告手段により、判別手段により侵入者が有ると判別された場合に、所定の警告が行われ、視聴距離警告手段により、判別手段により侵入者が有ると判別され、且つ、検出手段により検出された障害物である侵入者と表示部との距離が、所定の距離以下である場合に、所定の警告が行われ、設定手段により、侵入警告手段を実行する侵入監視モードと、視聴距離警告手段を実行する視聴距離警告モードと、の何れかが設定される。
したがって、侵入監視モードにおいて侵入者の侵入に基づいて所定の警告が行われるとともに、視聴距離警告モードにおいて、表示部と当該表示部の前方に存在する視聴者との距離に基づいて所定の警告が行われることとなり、ディスプレイ上に映出される映像を視聴する視聴者に対して、適切な視聴距離からの視聴を促すことができるとともに、侵入者の侵入を監視することができる表示装置を提供することができる。
【発明を実施するための最良の形態】
【００１２】
以下、本発明の実施の形態を、図面を参照しながら説明する。
本実施形態では、表示装置としてテレビジョン受像機について説明する。
【００１３】
なお、図１は、本実施形態のテレビジョン受像機１００の要部構成を例示するブロック図である。また、図２は、本実施形態のテレビジョン受像機１００を例示する図である。特に、図２（ａ）は、テレビジョン受像機１００の正面図、図２（ｂ）は、テレビジョン受像機１００の平面図、図２（ｃ）は、テレビジョン受像機１００の側面図である。
【００１４】
まず、図１を参照しながら、本実施形態のテレビジョン受像機１００の要部構成について説明する。
テレビジョン受像機１００は、例えば、図１に示すように、キー操作部１と、テレビジョン放送信号を受信するアンテナ２と、アンテナ２から入力された所定の周波数の音声・映像信号を選局するチューナ３と、チューナ３により選局された映像信号を復調する復調部４と、復調部４により復調された映像信号をデコードするデコーダ部５と、映像信号及び音声信号に対して所定の映像処理を行う信号処理部６と、映像信号に基づく映像を表示させる表示部７と、音声を出力する音声出力部（侵入警告手段、視聴距離警告手段）８と、超音波信号を送出する送出手段として機能するとともに、送出した超音波信号の反射信号を受信する受信手段として機能する超音波送受信ユニット９と、侵入者が侵入した旨を警備会社２００及びユーザ端末３００（所定の装置）に報知する通信部１０と、テレビジョン受像機１００全体を統括制御する制御部１１と、等を備えて構成され、各部はバス１２により接続されている。
【００１５】
キー操作部１は、ユーザがテレビジョン受像機１００に対して各種指示を入力するための複数のキーを備えており、ユーザによるキーの押下操作に基づいて、押下されたキーに対応する操作信号をＣＰＵ１１１に出力する。具体的には、当該キー操作部１には、例えば、テレビジョン受像機１００の電源をオン／オフするための電源オン／オフキー１ａが備わる。
当該キー操作部１は、テレビジョン受像機１００の筐体の前面部等に設けられていても良く、また、テレビジョン受像機１００を遠隔操作するリモートコントローラに設けられていても良い。
【００１６】
アンテナ２は、例えば、屋外において所定の方向に向けて配置されており、図示しないテレビジョン放送局から発信される高周波（ＲＦ）のテレビジョン放送信号である音声・映像信号を受信する。
チューナ３は、例えば、図示は省略するが、高周波増幅回路と、局部発振回路及び混合回路から成る周波数変換回路と、を備えて構成されており、アンテナ２等により入力されたテレビジョン放送信号を、高周波増幅回路において増幅し、混合回路において局部発振回路から出力される局部発振信号と混合し、さらに、特定の周波数を選局するための制御部１１からの制御信号に応じて、特定周波数帯の中間周波信号（IF信号）を受信し、当該中間周波信号に所定の処理を行って復調部４に出力する。
復調部４は、例えば、制御部１１の制御に従い、チューナ３から出力された中間周波信号に対してＯＦＤＭ（Orthogonal Frequency Division Multiplexing;直交周波数分割多重）復調や誤り訂正などの処理を実行し、トランスポートストリーム（TS）を生成して、デコーダ部５に出力する。
デコーダ部５は、例えば、復調部４から入力されたトランスポートストリームを、図示しないＴＳデコーダにおいて、ＭＰＥＧ２（Moving Picture Experts Group 2）規格下のビデオストリーム、オーディオストリーム及びＰＳＩ／ＳＩ（Program Specific Information/Service Information）等に分離するとともに、ビデオストリームを図示しないビデオデコーダに、オーディオストリームを図示しないオーディオデコーダに出力し、さらに、ＰＳＩ／ＳＩに含まれるデータを制御部１１に供給する。ビデオデコーダは、ＴＳデコーダから入力されたビデオストリームを復号し、逆ＤＣＴ変換や動き補償制御等を行い、映像データを生成して、信号処理部６に出力する。また、オーディオデコーダは、ＴＳデコーダから入力されたオーディオストリームを復号し、音声データを生成して信号処理部６に出力する。
信号処理部６は、図示しない映像処理部及び音声処理部を備え、オーディオデコーダから入力された音声データに対して、Ｄ／Ａ変換等の各種処理を行い、音声信号を生成して音声出力部８に出力するとともに、ビデオデコーダから入力された映像データに対して、画質調整処理等の各種の映像処理を行い、映像信号を生成して表示部７に出力する。
【００１７】
表示部７は、例えば、ＬＣＤ（Liquid Crystal Display）、ＰＤＰ（Plasma Display Panel）等のディスプレイ７ａを備え、信号処理部６から入力された映像信号に基づく映像を当該ディスプレイ７ａに表示させる。
音声出力部８は、例えば、スピーカ８ａ等を備え、信号処理部６から入力された音声信号に基づく音声を出力させる。
【００１８】
超音波送受信ユニット９は、例えば、発振部９１、駆動部９２、スピーカ９３、マイクロホン９４、増幅・検波部９５等を備えて構成される。
超音波送受信ユニット９のスピーカ９３及びマイクロホン９４は、例えば、図２（ａ）に示すように、テレビジョン受像機１００の筐体の前面部に、一又は複数（例えば、図２（ａ）では、４つ）設けられている。
具体的には、超音波送受信ユニット９では、後述する検出プログラム１１４ｂの実行において、制御部１１による制御に応じて、発振部９１が所定の発振周波数（４０ｋＨｚ）で発振するととともに、駆動部９２が駆動し、表示部７の前面部に設けられたスピーカ９３から、検出エリアＤに向けてパルス状の超音波信号が送出される。
検出エリアＤは、例えば、図２（ｂ）及び図２（ｃ）に示すように、表示部７の前方領域であり、当該検出エリアＤに送出された超音波信号は、検出エリアＤ内に存在する障害物により反射されて、表示部７の前面部に設けられたマイクロホン９４において受信されることとなる。
さらに、マイクロホン９４において受信された反射信号は、増幅・検波部９５において増幅・検波され、超音波信号を送出してから、その反射信号が検出されるまでの時間に基づいて、表示部７の前方の検出エリアＤ内に存在する障害物が検出される。
【００１９】
通信部１０は、例えば、警備会社２００や、ユーザの携帯するユーザ端末３００と、ネットワーク接続されている。そして、後述する侵入監視モードにおいて、表示部７の前方の検出エリアＤ内に侵入者が侵入した際に、後述する報知プログラム１１４ｆの実行により、侵入者が侵入した旨を、ネットワークＮを介して警備会社２００及びユーザ端末３００に報知する。
【００２０】
制御部１１は、ＣＰＵ（Central Processing Unit）１１１、ＲＴＣ（Real Time Clock）１１２、メモリ部１１３、ＲＯＭ（Read Only Memory）１１４等を備えて構成されている。
【００２１】
ＣＰＵ１１１は、テレビジョン受像機１００の各部から入力された入力信号に応じて、ＲＯＭ１１４に格納された各種プログラムを実行するとともに、実行にかかるプログラムに基づいて各部に出力信号を出力することにより、テレビジョン受像機１００の動作全般を統括制御する。
【００２２】
ＲＴＣ１１２は、ＣＰＵ１１１による制御に応じて時間をカウントし、カウントした時間データをＣＰＵ１１１に対して出力する。
【００２３】
メモリ部１１３は、例えば、ＲＡＭ（Random Access Memory）等の揮発性メモリからなるワークエリア１１３１を備えており、ＣＰＵ１１１によって各種プログラムが実行される際に生じる処理結果や、入力されたデータ等をこのワークエリア１１３１に記憶させる。
【００２４】
また、メモリ部１１３は、ＥＰＲＯＭ（Erasable Programmable ROM）等の不揮発性メモリからなるデータエリア１１３２を備えている。データエリア１１３２には、例えば、初期状態記憶手段としての初期状態記憶部１１３２ａが備わる。
【００２５】
初期状態記憶部１１３２ａは、後述する初期状態記憶プログラム１１４ｃの実行において、後述する検出プログラム１１４ｂの実行により測定された検出エリアＤにおける初期状態の距離に関する初期状態距離情報を記憶する。当該初期状態記憶部１１３２ａに記憶された初期状態距離情報は、後述する判別プログラム１１４ｄの実行において、表示部７の前方の検出エリアＤ内に侵入者が存在するか否かを判別するための比較処理において用いられる。
【００２６】
ＲＯＭ１１４は、例えば、不揮発性メモリから成るプログラム格納エリアを有しており、具体的には、設定プログラム１１４ａ、検出プログラム１１４ｂ、初期状態記憶プログラム１１４ｃ、判別プログラム１１４ｄ、侵入警告プログラム１１４ｅ、報知プログラム１１４ｆ、視聴距離警告プログラム１１４ｇ、視聴制限プログラム１１４ｈ等を格納している。
【００２７】
設定プログラム１１４ａは、例えば、ＣＰＵ１１１に、侵入警告プログラム１１４ｅを実行する侵入監視モードを電源オフ時に設定するとともに、視聴距離警告プログラム１１４ｇを実行する視聴距離警告モードを電源オン時に設定する機能を実現させるためのプログラムである。
具体的には、ＣＰＵ１１１は、テレビジョン受像機１００の電源オン時に、ユーザにより、キー操作部１の電源オン／オフキー１ａが操作されると、テレビジョン受像機１００を電源オフ状態に移行させるとともに、侵入監視モードを設定する。当該侵入監視モードは、検出プログラム１１４ｂ、判別プログラム１１４ｄ、侵入警告プログラム１１４ｅ、報知プログラム１１４ｆの実行により、表示部７の前方の検出エリアＤを監視し、検出エリアＤに侵入する侵入者に対して、警告を行うためのモードである。
また、ＣＰＵ１１１は、テレビジョン受像機１００の電源オフ時に、ユーザにより、キー操作部１の電源オン／オフキー１ａが操作されると、テレビジョン受像機１００を電源オン状態に移行させるとともに、視聴距離警告モードを設定する。当該視聴距離警告モードは、検出プログラム１１４ｂ、判別プログラム１１４ｄ、視聴距離警告プログラム１１４ｇ、視聴制限プログラム１１４ｈの実行により、表示部７の前方の検出エリアＤ内において、ディスプレイ７ａに表示される映像を表示部７から所定の第１距離内で視聴する視聴者（侵入者）に対して、視聴距離の警告を行うためのモードである。
さらに、ＣＰＵ１１１は、ユーザによるキー操作部１における所定のキー操作に基づいて、初期状態記憶モードを設定する。当該初期状態記憶モードは、検出プログラム１１４ｂ、初期状態記憶プログラム１１４ｃの実行により、表示部７前方の検出エリアＤにおける初期状態を記憶するためのモードである。
ＣＰＵ１１１は、かかる設定プログラム１１４ａを実行することにより、設定手段として機能する。
【００２８】
検出プログラム１１４ｂは、例えば、ＣＰＵ１１１に、表示部７の前方に向けて、超音波信号（測距信号）を送出するとともに、送出された超音波信号の反射信号を受信し、受信された反射信号に基づいて、表示部７と表示部７の前方に存在する障害物との距離を検出する機能を実現させるためのプログラムである。
当該検出プログラム１１４ｂは、初期状態記憶モード、侵入監視モード、視聴距離警告モードの設定時に実行される。具体的には、ＣＰＵ１１１は、初期状態記憶モード／侵入監視モード／視聴距離警告モードが設定されると、設定されたモードにおける所定の周期で、超音波送受信ユニット９の発振部９１、駆動部９２、スピーカ９３により、パルス状の超音波信号を表示部７の前方の検出エリアＤに送出するとともに、送出した超音波信号が検出エリアＤに存在する障害物等に当たって戻ってきた反射信号を、超音波送受信ユニット９のマイクロホン９４により受信する。そして、受信した反射信号を増幅・検波し、超音波送受信ユニット９において、超音波信号を送出してから当該超音波信号の反射信号が受信されるまでの時間に基づいて、検出エリアＤに存在する障害物との距離を測定する。
ＣＰＵ１１１は、かかる検出プログラム１１４ｂを実行することにより、超音波送受信ユニット９とともに、送出手段、受信手段、検出手段として機能する。
【００２９】
初期状態記憶プログラム１１４ｃは、例えば、ＣＰＵ１１１に、検出プログラム１１４ｂの実行により検出された障害物との初期状態の距離に関する初期状態距離情報を記憶する機能を実現させるためのプログラムである。
当該初期状態記憶プログラム１１４ｃは、初期状態記憶モードの設定時に実行される。具体的には、ＣＰＵ１１１は、前述の設定プログラム１１４ａの実行により初期状態記憶モードが設定されると、前述の検出プログラム１１４ｂの実行により、表示部７の前方の検出エリアＤに存在する障害物との初期状態の距離を測定し、測定した距離データを初期状態距離情報として、メモリ部１１３の初期状態記憶部１１３２ａに記憶させる。
ＣＰＵ１１１は、かかる初期状態記憶プログラム１１４ｃを実行することにより、初期状態記憶部１１３２ａとともに初期状態記憶手段として機能する。
【００３０】
判別プログラム１１４ｄは、例えば、ＣＰＵ１１１に、検出プログラム１１４ｂの実行により検出された障害物との距離に関する距離情報と、初期状態記憶プログラム１１４ｃの実行により記憶された初期状態距離情報との比較に基づいて、侵入者又は視聴者（侵入者）の有無を判別する機能を実現させるためのプログラムである。
当該初期状態記憶プログラム１１４ｃは、侵入者監視モード及び視聴距離警告モードの設定時に実行される。具体的には、ＣＰＵ１１１は、前述の設定プログラム１１４ａの実行により、侵入者監視モード又は視聴距離警告モードが設定されると、前述の検出プログラム１１４ｂの実行により、表示部７の前方の検出エリアＤに向けて送出した超音波信号の反射信号を受信して、当該超音波信号を送出してから反射信号が受信されるまでの時間に基づいて、検出エリアＤに存在する障害物との距離が検出されると、初期状態記憶プログラム１１４ｃの実行において初期状態記憶部１１３２ａに記憶された初期状態距離情報を参照する。そして、検出した現在の障害物の距離と、初期状態記憶部１１３２ａに記憶された初期状態の障害物の距離とを比較し、当該比較処理において所定値以上の差分がある場合に、侵入者又は視聴者（侵入者）が有ると判別する。
ＣＰＵ１１１は、かかる判別プログラム１１４ｄを実行することにより、判別手段として機能する。
【００３１】
侵入警告プログラム１１４ｅは、例えば、ＣＰＵ１１１に、判別プログラム１１４ｄの実行により侵入者が有ると判別された場合に、所定の警告を行う機能を実現させるためのプログラムである。
当該侵入警告プログラム１１４ｅは、侵入者監視モードの設定時に実行される。具体的には、ＣＰＵ１１１は、侵入者監視モードの設定時に、前述の判別プログラム１１４ｄの実行により侵入者が有ると判別されると、音声出力部８のスピーカ８ａから大音量のサイレン音等を出力させ、侵入者に対して警告を行う。
ＣＰＵ１１１は、かかる侵入警告プログラム１１４ｅを実行することにより、音声出力部８とともに侵入警告手段として機能する。
【００３２】
報知プログラム１１４ｆは、例えば、ＣＰＵ１１１に、侵入監視モードにおいて、判別プログラム１１４ｄの実行により侵入者が有ると判別された場合に、ネットワークＮを介して、警備会社２００及びユーザ端末３００（所定の装置）に報知を行う機能を実現させるためのプログラムである。
当該報知プログラム１１４ｆは、侵入者監視モードの設定時に実行される。具体的には、ＣＰＵ１１１は、侵入者監視モードの設定時に、前述の判別プログラム１１４ｄの実行により侵入者が有ると判別されると、通信部１０により、ネットワークＮを介して、警備会社２００と、ユーザの携帯するユーザ端末３００のそれぞれに、侵入者が侵入した旨を報知する。
ＣＰＵ１１１は、かかる報知プログラム１１４ｆを実行することにより、通信部１０とともに報知手段として機能する。
【００３３】
視聴距離警告プログラム１１４ｇは、例えば、ＣＰＵ１１１に、判別プログラム１１４ｄの実行により視聴者（侵入者）が有ると判別され、且つ、検出プログラム１１４ｂの実行により検出された障害物である視聴者（侵入者）と表示部７との距離が、所定の第１距離以下である場合に、所定の警告を行う機能を実現させるためのプログラムである。
当該視聴距離警告プログラム１１４ｇは、視聴距離警告モードの設定時に実行される。具体的には、ＣＰＵ１１１は、視聴距離警告モードの設定時に、前述の判別プログラム１１４ｄの実行により視聴者が有ると判別されると、検出プログラム１１４ｂの実行により検出された表示部７の前方に存在する障害物である視聴者と表示部７との距離が、所定の第１距離（例えば、３ｍ）以下であるか否かを判断する。そして、検出エリアＤにおける視聴者と表示部７との距離が所定の第１距離以下である場合に、音声出力部８からブザー音や音声ガイダンス（例えば、「視聴距離が短すぎます。テレビから３ｍ以上離れて視聴を行ってください」）等を出力させ、視聴者に対して視聴距離が適切でない旨を警告する。
ＣＰＵ１１１は、かかる視聴距離警告プログラム１１４ｇを実行することにより、音声出力部８とともに視聴距離警告手段として機能する。
【００３４】
視聴制限プログラム１１４ｈは、例えば、ＣＰＵ１１１に、視聴距離警告モードにおいて、検出プログラム１１４ｂの実行により検出された視聴者（侵入者）と表示部７との距離が所定の第２距離以下である場合、又は、検出プログラム１１４ｂの実行により検出された視聴者（侵入者）と表示部７との距離が所定時間連続して所定の第３距離以下である場合に、視聴を制限する制御を行う機能を実現させるためのプログラムである。
当該視聴距離警告プログラム１１４ｇは、視聴距離警告モードの設定時に実行される。具体的には、ＣＰＵ１１１は、視聴距離警告モードの設定時に、前述の判別プログラム１１４ｄの実行により視聴者が有ると判別されると、検出プログラム１１４ｂの実行により検出された表示部７の前方に存在する視聴者と表示部７との距離が、所定の第２距離（例えば、１ｍ）以下であるか、或いは、検出プログラム１１４ｂの実行により検出された表示部７の前方に存在する視聴者と表示部７との距離が、所定時間（例えば、１分間）以上連続して所定の第３距離（例えば、２ｍ）以下であるか否かを判断する。そして、視聴者と表示部７との距離が、所定の第２距離以下である場合、又は、所定時間以上連続して所定の第３距離以下である場合に、視聴を制限する処理を行う。視聴を制限する処理としては、例えば、映像や音声のミュート、電源オフ状態への移行、「テレビから離れてください」等の文字表示等が挙げられる。
ＣＰＵ１１１は、かかる視聴制限プログラム１１４ｈを実行することにより、視聴制限手段として機能する。
【００３５】
次に、図３のフローチャートを参照しながら、設定プログラム１１４ａ、検出プログラム１１４ｂ、初期状態記憶プログラム１１４ｃの実行に基づいて行われる初期状態記憶処理について説明する。
【００３６】
まず、ステップＳ１において、ＣＰＵ１１１は、キー操作部１における初期状態記憶処理を指示するキー操作に基づいて、初期状態記憶処理を開始する。ステップＳ２において、ＣＰＵ１１１は、初期状態記憶モードを設定し、ステップＳ３において、超音波送受信ユニット９のスピーカ９３から、表示部７の前方の検出エリアＤに向けて、所定の周期で超音波信号を送出する。ステップＳ４において、ＣＰＵ１１１は、送出した超音波信号が検出エリアＤに存在する障害物等に当たって戻ってきた反射信号を、超音波送受信ユニット９のマイクロホン９４において受信する。そして、ステップＳ５において、超音波信号を送出してから当該超音波信号の反射信号が受信されるまでの時間に基づいて、検出エリアＤに存在する障害物との初期状態の距離を測定する。ステップＳ６において、ＣＰＵ１１１は、測定した初期状態の距離に関する初期状態距離情報を、初期状態記憶部１１３２ａに記憶させ、本処理を終了する。
【００３７】
次に、図４のフローチャートを参照しながら、設定プログラム１１４ａ、検出プログラム１１４ｂ、判別プログラム１１４ｄ、侵入警告プログラム１１４ｅ、報知プログラム１１４ｆの実行に基づいて行われる侵入監視処理について説明する。
【００３８】
まず、ステップＳ１１において、キー操作部１において、電源オン／オフキー１ａの操作が行われると、ステップＳ１２において、ＣＰＵ１１１は、電源オン状態であるか否かを判断する。ＣＰＵ１１１は、ステップＳ１２において、電源オン状態でないと判断すると（ステップＳ１２；Ｎｏ）、図５におけるステップＳ３１に進み、一方、電源オン状態であると判断すると（ステップＳ１２；Ｙｅｓ）、ステップＳ１３において、電源オフ状態へ移行するとともに、侵入監視モードを設定する。
【００３９】
そして、ステップＳ１４において、超音波送受信ユニット９のスピーカ９３から、表示部７の前方の検出エリアＤに向けて、所定の周期で超音波信号を送出する。ステップＳ１５において、ＣＰＵ１１１は、送出した超音波信号が検出エリアＤに存在する障害物等に当たって戻ってきた反射信号を、超音波送受信ユニット９のマイクロホン９４において受信すると、ステップＳ１６において、超音波信号を送出してから当該超音波信号の反射信号が受信されるまでの時間に基づいて、検出エリアＤに存在する障害物との距離を測定する。
ステップＳ１７において、ＣＰＵ１１１は、検出した障害物との距離と、初期状態記憶部１１３２ａに記憶された初期状態の障害物との距離とを比較し、ステップＳ１８において、ステップＳ１７における比較処理において、所定値以上の差分が有るか否かを判断する。ＣＰＵ１１１は、ステップＳ１８において、所定値以上の差分が無いと判断すると（ステップＳ１８；Ｎｏ）、ステップＳ１９において、キー操作部１における電源オン／オフキー１ａの操作が有るか否かを判断する。ＣＰＵ１１１は、ステップＳ１９において、電源オン／オフキー１ａの操作が有ると判断すると（ステップＳ１９；Ｙｅｓ）、ステップＳ１２に戻って以上の処理を繰り返し、一方、電源オン／オフキー１ａの操作が無いと判断すると（ステップＳ１９；Ｎｏ）、ステップＳ１４に戻って以上の処理を繰り返す。
【００４０】
一方、ＣＰＵ１１１は、ステップＳ１８において、所定値以上の差分が有ると判断すると（ステップＳ１８；Ｙｅｓ）、ステップＳ２０において侵入者有りと判別し、続くステップＳ２１において、音声出力部８のスピーカ８ａからサイレン音を出力させること等により、表示部７の前方の検出エリアＤに侵入した侵入者に対して、所定の警告を行うとともに、ステップＳ２２において、通信部１０により、ネットワークＮを介して、警備会社２００及びユーザ端末３００に対して侵入者が侵入した旨を報知し、本処理を終了する。
【００４１】
次に、図５及び図６のフローチャートを参照しながら、設定プログラム１１４ａ、検出プログラム１１４ｂ、判別プログラム１１４ｄ、視聴距離警告プログラム１１４ｇ、視聴制限プログラム１１４ｈの実行に基づいて行われる視聴距離警告処理について説明する。
【００４２】
ＣＰＵ１１１は、前述のように、ステップＳ４のステップＳ１２において、電源オン状態でないと判断して、ステップＳ３１に進むと、電源オン状態へ移行するとともに、視聴距離警告モードを設定する。そして、ステップＳ３２において、超音波送受信ユニット９のスピーカ９３から、表示部７の前方の検出エリアＤに向けて、所定の周期で超音波信号を送出する。ステップＳ３３において、ＣＰＵ１１１は、送出した超音波信号が検出エリアＤに存在する障害物等に当たって戻ってきた反射信号を、超音波送受信ユニット９のマイクロホン９４において受信すると、ステップＳ３４において、超音波信号を送出してから当該超音波信号の反射信号が受信されるまでの時間に基づいて、検出エリアＤに存在する障害物との距離を測定する。
【００４３】
次に、ＣＰＵ１１１は、ステップＳ３５において、検出した障害物との距離と、初期状態記憶部１１３２ａに記憶された初期状態の障害物との距離とを比較し、ステップＳ３６において、ステップＳ３５における比較処理において、所定値以上の差分が有るか否かを判断する。ＣＰＵ１１１は、ステップＳ３６において、所定値以上の差分が無いと判断すると（ステップＳ３６；Ｎｏ）、ステップＳ３７において、キー操作部１における電源オン／オフキー１ａの操作が有るか否かを判断する。そして、ステップＳ３７において、電源オン／オフキー１ａの操作が有ると判断すると（ステップＳ３７；Ｙｅｓ）、ステップＳ１２に戻って以上の処理を繰り返し、一方、電源オン／オフキー１ａの操作が無いと判断すると（ステップＳ４０；Ｎｏ）、ステップＳ３２に戻って以上の処理を繰り返す。
【００４４】
一方、ＣＰＵ１１１は、ステップＳ３６において、所定値以上の差分が有ると判断すると（ステップＳ３６；Ｙｅｓ）、ステップＳ３８において、視聴者有りと判別し、ステップＳ３９において、表示部７前方の検出エリアＤに存在する視聴者と表示部７の距離は、所定の第１距離以下であるか否かを判断する。ＣＰＵ１１１は、ステップＳ３９において、視聴者と表示部７の距離は所定の第１距離以下でないと判断すると（ステップＳ３９；Ｎｏ）、ステップＳ４０において、キー操作部１における電源オン／オフキー１ａの操作が有るか否かを判断し、電源オン／オフキー１ａの操作が有ると判断すると（ステップＳ４０；Ｙｅｓ）、ステップＳ１２に戻って以上の処理を繰り返す。一方、ＣＰＵ１１１は、ステップＳ４０において、電源オン／オフキー１ａの操作が無いと判断すると（ステップＳ３７；Ｎｏ）、ステップＳ３２に戻って以上の処理を繰り返す。
【００４５】
一方、ＣＰＵ１１１は、ステップＳ３９において、視聴者と表示部７の距離は所定の第１距離以下であると判断すると（ステップＳ３９；Ｙｅｓ）、ステップＳ４１において、音声出力部８のスピーカ８ａからブザー音や音声ガイダンスを出力させること等により、表示部７の前方の検出エリアＤに存在する視聴者に対して、視聴距離の警告を行い、図６のステップＳ４２に進む。
【００４６】
図６のステップＳ４２において、ＣＰＵ１１１は、表示部７前方の検出エリアＤに存在する視聴者と表示部７の距離は、所定の第２距離以下であるか否かを判断する。ＣＰＵ１１１は、ステップＳ４２において、視聴者と表示部７の距離は、所定の第２距離以下であると判断すると（ステップＳ４２；Ｙｅｓ）、ステップＳ４３において、映像ミュート処理等の視聴を制限する処理を行い、本処理を終了する。
【００４７】
一方、ＣＰＵ１１１は、ステップＳ４２において、視聴者と表示部７の距離は、所定の第２距離以下でないと判断すると（ステップＳ４２；Ｎｏ）、ステップＳ４４において、視聴者と表示部７の距離は、第３距離以下であるか否かを判断する。ＣＰＵ１１１は、ステップＳ４４において、視聴者と表示部７の距離は、所定の第３距離以下でないと判断すると（ステップＳ４４；Ｎｏ）、ステップＳ４７に進み、一方、視聴者と表示部７の距離は、所定の第３距離以下であると判断すると（ステップＳ４４；Ｙｅｓ）、ステップＳ４５において、ＲＴＣ１１２により計時される視聴者と表示部７の距離が第３距離になってからの経過時間に基づいて、視聴者と表示部７の距離は所定時間以上連続して第３距離以下であるか否かを判断する。ＣＰＵ１１１は、ステップＳ４５において、視聴者と表示部７の距離は所定時間以上連続して第３距離以下であると判断すると（ステップＳ４５；Ｙｅｓ）、ステップＳ４６において、映像ミュート処理等の視聴を制限する処理を行い、本処理を終了する。
【００４８】
一方、ＣＰＵ１１１は、ステップＳ４５において、視聴者と表示部７の距離は、所定時間以上連続して第３距離以下でないと判断すると（ステップＳ４５；Ｎｏ）、ステップＳ４７において、キー操作部１における電源オン／オフキー１ａの操作が有るか否かを判断する。ＣＰＵ１１１は、ステップＳ４７において、電源オン／オフキー１ａの操作が有ると判断すると（ステップＳ４７；Ｙｅｓ）、ステップＳ１２に戻って以上の処理を繰り返す。
【００４９】
一方、ＣＰＵ１１１は、ステップＳ４７において、電源オン／オフキー１ａの操作がないと判断すると（ステップＳ４７；Ｎｏ）、ステップＳ４８において、超音波送受信ユニット９のスピーカ９３から、表示部７の前方の検出エリアＤに向けて、所定の周期で超音波信号を送出する。ステップＳ４９において、ＣＰＵ１１１は、送出した超音波信号が検出エリアＤに存在する障害物等に当たって戻ってきた反射信号を、超音波送受信ユニット９のマイクロホン９４において受信すると、ステップＳ５０において、超音波信号を送出してから当該超音波信号の反射信号が受信されるまでの時間に基づいて、検出エリアＤに存在する障害物との距離を測定する。そして、ステップＳ５１において、ＣＰＵ１１１は、検出した障害物との距離と、初期状態記憶部１１３２ａに記憶された初期状態の障害物との距離とを比較し、ステップＳ５２において、ステップＳ５１における比較処理において、所定値以上の差分が有るか否かを判断する。ＣＰＵ１１１は、ステップＳ５２において、所定値以上の差分が無いと判断すると（ステップＳ５２；Ｎｏ）、ステップＳ３２に戻って以上の処理を繰り返し、一方、所定値以上の差分が有ると判断すると（ステップＳ５２；Ｙｅｓ）、ステップＳ４２に戻って以上の処理を繰り返す。
【００５０】
以上説明した本実施形態のテレビジョン受像機１００によれば、ＣＰＵ１１１による検出プログラム１１４ｂの実行により、表示部７の前方に向けて、超音波信号が送出され、送出された超音波信号の反射信号が受信され、受信された反射信号に基づいて、表示部７と表示部７の前方に存在する障害物との距離が検出される。また、ＣＰＵ１１１による初期状態記憶プログラム１１４ｃの実行により、検出プログラム１１４ｂの実行により検出された障害物との初期状態の距離に関する初期状態距離情報が記憶される。また、ＣＰＵ１１１による判別プログラム１１４ｄの実行により、検出プログラム１１４ｂの実行により検出された障害物との距離に関する距離情報と、初期状態記憶プログラム１１４ｃの実行により記憶された初期状態距離情報との比較に基づいて、侵入者の有無が判別され、侵入警告プログラム１１４ｅの実行により、判別プログラム１１４ｄの実行により侵入者が有ると判別された場合に、所定の警告が行われ、視聴距離警告プログラム１１４ｇの実行により、判別プログラム１１４ｄの実行により侵入者が有ると判別され、且つ、検出プログラム１１４ｂの実行により検出された障害物である侵入者と表示部７との距離が、所定の第１距離以下である場合に、所定の警告が行われる。さらに、設定プログラム１１４ａの実行により、侵入警告プログラム１１４ｅを実行する侵入監視モードと、視聴距離警告プログラム１１４ｇを実行する視聴距離警告モードと、の何れかが設定される。
したがって、侵入監視モードにおいて侵入者の侵入に基づいて所定の警告が行われるとともに、視聴距離警告モードにおいて、表示部７と当該表示部７の前方に存在する視聴者との距離に基づいて所定の警告が行われることとなり、ディスプレイ上に映出される映像を視聴する視聴者に対して、適切な視聴距離からの視聴を促すことができるとともに、侵入者の侵入を監視することができるテレビジョン受像機１００を提供することができる。
【００５１】
また、ＣＰＵ１１１による設定プログラム１１４ａの実行により、電源オフ時に侵入監視モードが設定されるとともに、電源オン時に視聴距離警告モードが設定される。
したがって、侵入監視モード及び視聴距離警告モードが、それぞれ適切なタイミングで自動的に設定されるため、ユーザが各モードを設定する手間を省くことができ、使い勝手を向上させることができる。
【００５２】
また、侵入監視モードにおいて、ＣＰＵ１１１による報知プログラム１１４ｆの実行により、判別プログラム１１４ｄの実行により侵入者が有ると判別された場合に、ネットワークＮを介して、所定の装置に報知が行われる。
したがって、侵入監視モードにおけるセキュリティ性を高めることができる。
【００５３】
また、視聴距離警告モードにおいて、ＣＰＵ１１１による視聴制限プログラム１１４ｈの実行により、検出プログラム１１４ｂの実行により検出された侵入者と表示部７との距離が所定の第２距離以下である場合、又は、検出プログラム１１４ｂの実行により検出された侵入者と表示部７との距離が所定時間連続して所定の第３距離以下である場合に、視聴を制限する制御が行われる。
したがって、視聴距離警告モードにおいて、視聴者が、視聴距離警告プログラム１１４ｇの実行における所定の警告を無視して視聴を継続した場合であっても、より確実に、適切な視聴距離からの視聴を行わせることができる。
【００５４】
なお、本発明は上記実施の形態に限られることなく、本発明の趣旨を逸脱しない範囲において種々の改良並びに設計の変更を行っても良い。
例えば、上述の設定プログラム１１４ａにおいて、初期状態記憶プログラム１１４ｃを実行する初期状態記憶モードを、ユーザによるキー操作部１におけるキー操作に基づいて設定するのではなく、例えば、所定の時刻に自動的に設定するように構成しても良い。また、例えば、テレビジョン受像機１００が待機状態である場合に、所定の時間間隔で設定するように構成しても良い。これにより、ユーザが初期状態記憶モードを設定するための手間を省くことができる。
また、侵入警告プログラム１１４ｅの実行において、侵入者に対して行う警告は、音声出力部８によりサイレン音を出力するものに限られることなく、表示部７において「警備会社に通報しました」等の文字表示を行っても良い。
また、視聴距離警告プログラム１１４ｇの実行において、視聴者に対して行う警告は、音声出力部８によりブザー音や音声ガイダンスを出力するものに限られることなく、表示部７において「視聴距離が近いため、表示部から離れて視聴を行ってください」等の文字表示を行っても良い。
また、侵入監視モードにおける侵入者は、人間に限られることなく、動物等の他の移動体であっても良い。
また、侵入者の検出方法は、上記実施形態において例示した方法に限られず、検出エリアにおける移動体の移動や、障害物の高さを検出することにより、侵入者を検出しても良い。
【図面の簡単な説明】
【００５５】
【図１】本実施形態のテレビジョン受像機の要部構成を例示するブロック図である。
【図２】図２（ａ）は、テレビジョン受像機１００の正面図、図２（ｂ）は、テレビジョン受像機１００の平面図、図２（ｃ）は、テレビジョン受像機１００の側面図である。
【図３】初期状態記憶処理を示すフローチャートである。
【図４】侵入監視処理を示すフローチャートである。
【図５】視聴距離警告処理を示すフローチャートである。
【図６】視聴距離警告処理を示すフローチャートである。
【符号の説明】
【００５６】
１００      テレビジョン受像機（表示装置）
７          表示部
８          音声出力部（侵入警告手段、視聴距離警告手段）
９          超音波送受信ユニット（送出手段、受信手段）
１０        通信部（報知手段）
１１１      ＣＰＵ（送出手段、受信手段、検出手段、初期状態記憶手段、判別手段、侵入警告手段、視聴距離警告手段、設定手段、報知手段、視聴制限手段）
１１３２ａ  初期状態記憶部（初期状態記憶手段）
１１４ａ    設定プログラム（設定手段）
１１４ｂ    検出プログラム（送出手段、受信手段、検出手段）
１１４ｃ    初期状態記憶プログラム（初期状態記憶手段）
１１４ｄ    判別プログラム（判別手段）
１１４ｅ    侵入警告プログラム（侵入警告手段）
１１４ｆ    報知プログラム（報知手段）
１１４ｇ    視聴距離警告プログラム（視聴距離警告手段）
１１４ｈ    視聴制限プログラム（視聴制限手段）
２００      警備会社（所定の装置）
３００      ユーザ端末（所定の装置）
Ｎ          ネットワーク
【図１】
2008287564.tif 000003
【図２】
2008287564.tif 000004
【図３】
2008287564.tif 000005
【図４】
2008287564.tif 000006
【図５】
2008287564.tif 000007
【図６】
2008287564.tif 000008